(57)【要約】【課題】火災時の部品保持力の低下を抑制できる部品固定構造および建具の提供。【解決手段】部品固定構造は、建具を構成する繊維強化プラスチック製のフレーム材３５に部品を固定する構造である。フレーム材３５は、ガラス開口部補強材６０が取り付けられる内周側見込面部３３０を備える。ガラス開口部補強材６０は、締結部材で内周側見込面部３３０に締結部材で取り付ける。締結部材は、内周側見込面部３３０を屋外側である第１領域３３０Ａおよび屋内側である第２領域３３０Ｂに２等分した際に、第１領域３３０Ａに設けられてガラス開口部補強材６０を内周側見込面部３３０に取り付ける第１ビス６５と、第２領域３３０Ｂに設けられてガラス開口部補強材６０を内周側見込面部３３０に取り付ける第２ビス６６と、を備える。【選択図】図４
2019002253.tif 000002
【特許請求の範囲】
【請求項１】
建具を構成する繊維強化プラスチック製のフレーム材に部品を固定する部品固定構造であって、
前記フレーム材は、前記部品が取り付けられる見込面部を備え、
前記部品は、前記見込面部に締結部材を用いて取り付けられ、
前記締結部材は、
前記見込面部を屋外側である第１領域および屋内側である第２領域に２等分した際に、前記第１領域に設けられて前記部品を前記見込面部に取り付ける第１締結部材と、前記第２領域に設けられて前記部品を前記見込面部に取り付ける第２締結部材と、を備える
ことを特徴とする部品固定構造。
【請求項２】
請求項１に記載の部品固定構造において、
前記部品は、前記フレーム材の長手方向に沿って延長された長尺部材であり、
前記第１締結部材は、前記フレーム材の長手方向に沿って設けられた複数の第１締結部材を備え、
前記第２締結部材は、前記フレーム材の長手方向に沿って設けられた複数の第２締結部材を備え、
前記複数の第１締結部材および前記複数の第２締結部材は、前記フレーム材の長手方向に沿った位置が異なる位置となるように設けられている
ことを特徴とする部品固定構造。
【請求項３】
請求項１または請求項２に記載の部品固定構造において、
前記フレーム材は、前記見込面部と、前記見込面部の屋外側端部から見付け方向に延出された屋外見付片部と、前記見込面部の屋内側端部から見付け方向に延出された屋内見付片部とを備え、
前記部品は、前記見込面部と、前記屋外見付片部と、前記屋内見付片部とで区画された溝部に配置され、
前記第１締結部材は、前記見込面部の前記第１領域において前記屋外見付片部に近接する位置に設けられ、
前記第２締結部材は、前記見込面部の前記第２領域において前記屋内見付片部に近接する位置に設けられている
ことを特徴とする部品固定構造。
【請求項４】
矩形枠状に組まれた繊維強化プラスチック製のフレーム材と、前記フレーム材に取り付けられた部品と、前記フレーム材で保持された面材とを備える建具であって、
前記フレーム材は、前記部品が取り付けられる見込面部を備え、
前記部品は、前記見込面部に沿って配置される取付面部を備え、前記見込面部に締結部材を用いて取り付けられ、
前記締結部材は、前記見込面部を屋外側である第１領域および屋内側である第２領域に２等分した際に、前記第１領域に設けられて前記部品を前記見込面部に取り付ける第１締結部材と、前記第２領域に設けられて前記部品を前記見込面部に取り付ける第２締結部材と、を備える
ことを特徴とする建具。
【発明の詳細な説明】
【技術分野】
【０００１】
本発明は、窓の枠材や障子の框材などのフレーム材に部品を固定する部品固定構造と、部品固定構造を用いた建具に関する。
【背景技術】
【０００２】
アルミサッシや樹脂サッシなどの各種建具において、窓の枠材や障子の框材等のフレーム材に部品や補強材を固定する場合、通常、ビスを用いて固定している。
たとえば、屋外側の金属部と、屋内側の合成樹脂部とを結合した框材において、ガラスの嵌合溝の溝底に断面Ｌ字形の補強材をビスで固定し、合成樹脂で形成された屋内側の溝壁を補強するものがある（特許文献１の図２参照）。
このような補強材は、框材の長手方向に沿って連続する長尺部材であり、固定強度を確保するために、框材の長手方向に沿って一列に配置された複数のビスで固定している。
【先行技術文献】
【特許文献】
【０００３】
【特許文献１】特開２００６−１２４９５２号公報
【発明の概要】
【発明が解決しようとする課題】
【０００４】
近年、建具に対しては、断熱性や防火性などの性能向上が求められている。このため、枠材や框材の材料として、アルミ材に比べて断熱性が高く、樹脂材に比べて防火性、剛性に優れた繊維強化プラスチック（fibre reinforced plastic、以下「ＦＲＰ」と表記する場合がある）を用いることが考えられる。
枠材や框材等のフレーム材のように一定断面形状の長尺材をＦＲＰで成形する場合、長尺の繊維強化材を引張機で引っ張りながら、樹脂等を纏わせて、型の中で樹脂を硬化させて引抜材として成形する引張成形法が用いられる。このため、繊維強化材は、引抜材の長手方向に沿って連続する連続材（長尺材）が用いられる。
【０００５】
このようなＦＲＰ製のフレーム材（ＦＲＰ材）には、各種部品をビスで直留めができる利点がある。一方で、火災時にフレーム材の加熱面側の樹脂等が焼失した場合に、ビスによる部品保持力が低下する可能性がある。例えば、火災時の熱によってＦＲＰ材がダメージを負った場合に、ガラスの熱反りなどによってビス留めした部品に荷重等が加わると、ビス留め時に発生した微少クラックが拡大し、繊維強化材に沿ってフレーム材が裂けるといったＦＲＰ材特有の現象が発生する可能性がある。これにより、特に火災時などに部品保持力が低下するという課題がある。
【０００６】
本発明の目的は、火災時の部品保持力の低下を抑制できる部品固定構造および建具を提供することにある。
【課題を解決するための手段】
【０００７】
本発明は、建具を構成する繊維強化プラスチック製のフレーム材に部品を固定する部品固定構造であって、前記フレーム材は、前記部品が取り付けられる見込面部を備え、前記部品は、前記見込面部に締結部材を用いて取り付けられ、前記締結部材は、前記見込面部を屋外側である第１領域および屋内側である第２領域に２等分した際に、前記第１領域に設けられて前記部品を前記見込面部に取り付ける第１締結部材と、前記第２領域に設けられて前記部品を前記見込面部に取り付ける第２締結部材と、を備えることを特徴とする。
【０００８】
本発明によれば、繊維強化プラスチック製のフレーム材の見込面部に部品を固定する際に、見込面部の屋外側である第１領域に設けられる第１締結部材と、見込面部の屋内側である第２領域に設けられる第２締結部材とを用いて部品を固定している。このため、フレーム材の屋外側で火災が発生し、フレームの屋外面が加熱面となった場合には、第１領域のフレーム材の一部が軟化、焼失し、ネジ等で構成される第１締結部材がフレーム材から外れる可能性があるが、非加熱面である第２領域に設けられる第２締結部材によって、部品およびフレーム材の締結状態を維持できる。
また、フレーム材の屋内側で火災が発生した場合は、非加熱面である第１領域に設けられる第１締結部材によって、部品およびフレーム材の締結状態を維持できる。
したがって、本発明の部品固定構造によれば、火災時であっても締結部材による部品保持力の低下を抑制できる。そして、フレーム材から部品が外れることを防止できるため、部品が外れることによる防火性能の低下も防止できる。
【０００９】
本発明の部品固定構造において、前記部品は、前記フレーム材の長手方向に沿って延長された長尺部材であり、前記第１締結部材は、前記フレーム材の長手方向に沿って設けられた複数の第１締結部材を備え、前記第２締結部材は、前記フレーム材の長手方向に沿って設けられた複数の第２締結部材を備え、前記複数の第１締結部材および前記複数の第２締結部材は、前記フレーム材の長手方向に沿った位置が異なる位置となるように設けられていることが好ましい。
【００１０】
本発明では、長尺部材である部品を、複数本の第１締結部材と、複数本の第２締結部材とを用いてフレーム材に締結しているので、部品の固定強度を確保できる。また、第１締結部材と第２締結部材とは、フレーム材の長手方向に沿った位置が異なる位置となるように設けられており、例えば、見込面部において千鳥状に配置できる。このため、第１締結部材や第２締結部材の締結位置において、見込み方向に微少クラックが発生した場合に見込み方向には別の締結部材は配置されていないので、見込み方向に発生した微少クラックが繋がって大きなクラックになることを防止できる。
【００１１】
本発明の部品固定構造において、前記フレーム材は、前記見込面部と、前記見込面部の屋外側端部から見付け方向に延出された屋外見付片部と、前記見込面部の屋内側端部から見付け方向に延出された屋内見付片部とを備え、前記部品は、前記見込面部と、前記屋外見付片部と、前記屋内見付片部とで区画された溝部に配置され、前記第１締結部材は、前記見込面部の前記第１領域において前記屋外見付片部に近接する位置に設けられ、前記第２締結部材は、前記見込面部の前記第２領域において前記屋内見付片部に近接する位置に設けられていることが好ましい。
【００１２】
フレーム材に、見込面部、屋外見付片部、屋内見付片部で区画された溝部を設け、この溝部に部品を配置した際に、第１締結部材を屋外見付片部に近接する位置に設け、第２締結部材を屋内見付片部に近接する位置に設けたので、第１締結部材および第２締結部材の見込み方向の間隔を大きくできる。このため、非加熱面側に設けた締結部材を、加熱面からできるだけ離して配置することができ、火災時の部品保持力の低下をより抑制できる。また、第１締結部材および第２締結部材の見込み方向の間隔を大きくできるため、第１締結部材および第２締結部材を見込み方向に揃えて配置した場合でも、微少クラックが繋がることを防止できる。
【００１３】
本発明の建具は、矩形枠状に組まれた繊維強化プラスチック製のフレーム材と、前記フレーム材に取り付けられた部品と、前記フレーム材で保持された面材とを備える建具であって、前記フレーム材は、前記部品が取り付けられる見込面部を備え、前記部品は、前記見込面部に沿って配置される取付面部を備え、前記見込面部に締結部材を用いて取り付けられ、前記締結部材は、前記見込面部を屋外側である第１領域および屋内側である第２領域に２等分した際に、前記第１領域に設けられて前記部品を前記見込面部に取り付ける第１締結部材と、前記第２領域に設けられて前記部品を前記見込面部に取り付ける第２締結部材と、を備えることを特徴とする。
【００１４】
本発明によれば、前記部品固定構造を用いて部品を固定しているので、火災時に加熱面側のフレーム材がダメージを受けても、非加熱面側の締結部材によって部品およびフレーム材の締結状態を維持できる。このため、火災時であっても締結部材による部品保持力の低下を抑制できる。そして、フレーム材から部品が外れることを防止できるため、この部品でガラス等の面材を保持している場合には、面材が外れて防火性能が低下することも防止できる。
【発明の効果】
【００１５】
本発明の部品固定構造および建具によれば、火災時の部品保持力の低下を抑制できる。
【図面の簡単な説明】
【００１６】
【図１】本発明の実施形態に係る引違い窓を示す内観姿図。
【図２】前記実施形態の引違い窓の縦断面図。
【図３】前記実施形態の引違い窓の横断面図。
【図４】前記実施形態の障子枠を構成するフレーム材を示す斜視図。
【図５】（Ａ）は前記実施形態の障子枠の接合構造の側面図、（Ｂ）は概略断面図。
【発明を実施するための形態】
【００１７】
以下、本発明の建具の実施形態を図面に基づいて説明する。
本実施形態の建具である引違い窓１は、図１に示すように、建物躯体の開口部に設けられる窓枠２と、窓枠２で囲まれた内部に左右方向に引き違い可能に配置された外障子３Ａおよび内障子３Ｂとを備えている。
窓枠２は、上枠２１、下枠２２および左右の縦枠２３、２４を枠組みして構成されている。
外障子３Ａおよび内障子３Ｂは、上框３１、下框３２および左右の縦框３３、３４を枠組みした障子枠３０と、障子枠３０内に組み込まれる面材である複層ガラス５０とを備えて構成されている。
各障子３Ａ，３Ｂの縦框３３は、外障子３Ａ、内障子３Ｂを閉めた際に、縦枠２３、２４に当接する戸先框であり、縦框３４は、外障子３Ａ、内障子３Ｂを閉めた際に、屋内外方向に重なって配置される召合せ框である。
【００１８】
ここで、図１〜３に示すように、引違い窓１の上下方向をＹ軸とし、外障子３Ａ、内障子３Ｂのスライド移動方向をＸ軸とし、Ｘ軸およびＹ軸に直交する方向をＺ軸とすると、窓枠２（上枠２１、下枠２２、縦枠２３、２４）や、外障子３Ａ、内障子３Ｂの見込み方向は、Ｚ軸方向つまり引違い窓１の屋内外方向（奥行き方向）である。また、上枠２１、下枠２２、上框３１、下框３２の見付け方向は、Ｙ軸方向つまり上下方向であり、縦枠２３、２４、縦框３３、３４の見付け方向は、Ｘ軸方向つまり外障子３Ａ、内障子３Ｂの移動方向（左右方向）である。
また、図２，３において、上枠２１、下枠２２、縦枠２３、２４や、上框３１、下框３２、縦框３３、３４は、断面を示すが、図を見やすくするためにハッチングを省略している。
【００１９】
図２，３に示すように、上枠２１、下枠２２、縦枠２３、２４は、繊維強化プラスチック（ＦＲＰ）製の引抜材によって形成された同一断面形状のフレーム材である。本実施形態のＦＲＰ製の引抜材は、繊維強化材としてグラスファイバーを用い、熱硬化性樹脂としてポリウレタンを用いて製造されたものである。なお、ＦＲＰの繊維強化材や熱硬化性樹脂は、建具である引違い窓１のフレーム材として求められる強度や断熱性能、耐火性能などを満たすものであれば、前述の材質に限定されない。
【００２０】
上枠２１、下枠２２、縦枠２３、２４は、本体部２１０と、本体部２１０から見付け方向に突出された屋外突出部２２０および屋内突出部２３０とを備えて中空筒状に形成されている。
上枠２１の屋外突出部２２０および屋内突出部２３０は、外障子３Ａおよび内障子３Ｂを案内する上レールとして機能する。
下枠２２の屋外突出部２２０および屋内突出部２３０は、上面の溝部にレール部材２４０が取り付けられ、外障子３Ａおよび内障子３Ｂの戸車９１を案内する下レールとして機能する。
上枠２１および下枠２２の屋外突出部２２０、屋内突出部２３０間には、風止版２６０が取り付けられている。
【００２１】
上枠２１、下枠２２、縦枠２３、２４は、建物の躯体に第１取付金具２７１および第２取付金具２７２を用いて固定されている。第１取付金具２７１は、Ｌ字状に折曲された短尺のスチール材であり、躯体の屋外面と開口内周面とに沿って配置されて躯体にネジ止めされている。第２取付金具２７２は、Ｌ字状に折曲された短尺のスチール材であり、本体部２１０の見込み面と屋内面とに沿って配置されて本体部２１０にネジ止めされている。
さらに、第１取付金具２７１および第２取付金具２７２は、本体部２１０の見込み面に沿って重ねて配置され、第１取付金具２７１から第２取付金具２７２を介して本体部２１０にねじ込まれたネジで固定されている。
また、上枠２１の本体部２１０の下面における屋外突出部２２０の屋内側には、加熱発泡材８０が接着されている。加熱発泡材８０は、熱膨張性黒鉛などを含んで構成された長尺のテープ材であり、火災時などに温度が所定温度（例えば１５０〜２００度程度）以上になると、発泡して約１０〜４０倍程度に膨張し、遮炎材として機能するものである。
【００２２】
図２，３に示すように、外障子３Ａ、内障子３Ｂの上框３１、下框３２、縦框３３、３４は、ＦＲＰ製の引抜材によって形成された同一断面形状のフレーム材３５で構成されている。以下、上框３１、下框３２、縦框３３、３４に共通する構成は、フレーム材３５の構成として説明する。
障子３Ａ，３Ｂのフレーム材３５の材質は、窓枠２のフレーム材と同様に、繊維強化材はグラスファイバーであり、熱硬化性樹脂はポリウレタンであるが、窓枠２のフレーム材と異なる材質としてもよく、障子３Ａ，３Ｂのフレーム材３５として求められる強度や断熱性能、耐火性能などを満たすものであればよい。
【００２３】
フレーム材３５（上框３１、下框３２、縦框３３、３４）は、屋外見付片部３１０と、屋内見付片部３２０と、これらを連結する内周側見込面部３３０および外周側見込面部３４０とを備えて構成されている。
内周側見込面部３３０の屋外側端部から見付け方向に延出された屋外見付片部３１０と、屋内側端部から見付け方向に延出された屋内見付片部３２０と、内周側見込面部３３０とによって、上框３１、下框３２、縦框３３、３４を矩形枠状に組んで構成される障子枠３０の内周側に開口する溝部３５０が構成される。同様に、屋外見付片部３１０、屋内見付片部３２０、外周側見込面部３４０によって、障子枠の外周側に開口する溝部３６０が構成される。溝部３５０、３６０間はホロー部３７０が構成されている。
召合せ框である縦框３４の溝部３６０には、補強材３６２が配置され、下框３２、縦框３３、３４のホロー部３７０には、補強材３７１が配置されている。補強材３６２、３７１は、例えばスチール製のチャンネル材で構成され、各框３１〜３４の略全長に渡って配置された長尺材である。なお、補強材３６２、３７１は、障子３Ａ，３Ｂのサイズが小さい場合には不要にできる場合もあり、上框３１、下框３２、縦框３３、３４に求められる強度などによって適宜設ければ良い。
【００２４】
上框３１の溝部３６０は、上枠２１の上レールである屋外突出部２２０、屋内突出部２３０が配置され、レール案内溝として機能する。
下框３２の溝部３６０は、下枠２２の下レールである屋外突出部２２０、屋内突出部２３０が配置され、レール案内溝として機能する。また、下框３２の溝部３６０およびホロー部３７０には戸車装置９０が取り付けられ、戸車装置９０の戸車９１はレール部材２４０上を転動可能に設けられている。
フレーム材３５（上框３１、下框３２、縦框３３、３４）の溝部３６０を区画する屋外見付片部３１０、屋内見付片部３２０には気密材３６１が装着されている。気密材３６１は、上枠２１、下枠２２、縦枠２３、２４の屋外突出部２２０、屋内突出部２３０の屋外面、屋内面に当接し、２重の気密ラインを形成している。
また、溝部３６０には、加熱発泡材８０が接着されている。この加熱発泡材８０は、火災時に溝部３６０内で発泡し、窓枠２および障子枠３０間を塞いで煙やガスなどの流入を防止する。
【００２５】
フレーム材３５の溝部３５０は、複層ガラス５０を保持するガラス保持溝である。このため、溝部３５０には、フレーム材３５（上框３１、下框３２、縦框３３、３４）に取り付けられる部品として、ガラス開口部補強材６０が固定されている。
ガラス開口部補強材６０は、図４にも示すように、内周側見込面部３３０に沿って配置される取付面部６１と、屋外見付片部３１０に沿って配置される屋外片部６２と、屋内見付片部３２０に沿って配置される屋内片部６３とを備え、フレーム材３５の長手方向に沿って延長された長尺部材である。本実施形態では、ガラス開口部補強材６０はスチール製のチャンネル材である。
ガラス開口部補強材６０は、取付面部６１と、フレーム材３５の内周側見込面部３３０とを締結部材で締結することで、フレーム材３５に固定されている。締結部材は、内周側見込面部３３０を、屋外側の第１領域３３０Ａと、屋内側の第２領域３３０Ｂとに２等分した際に、第１領域３３０Ａに設けられる第１締結部材としての第１ビス６５と、第２領域３３０Ｂに設けられる第２締結部材としての第２ビス６６とを備えている。
ここで、引違い窓１の見込み方向（Ｚ方向）の位置が内周側見込面部３３０の中心となる仮想線Ｃを設定した場合に、内周側見込面部３３０において仮想線Ｃよりも屋外側の領域が第１領域３３０Ａであり、屋内側の領域が第２領域３３０Ｂである。
【００２６】
第１ビス６５は、第１領域３３０Ａにおいて屋外片部６２に近接して配置されている。すなわち、第１ビス６５は、ネジの頭部が屋外片部６２にぶつからない範囲で屋外片部６２に近づいて配置されている。同様に、第２ビス６６は、第２領域３３０Ｂにおいて屋内片部６３に近接して配置されている。
また、フレーム材３５の長手方向に沿って配置される第１ビス６５同士および第２ビス６６同士は、第１寸法Ｌ１の間隔で配置されている。第１寸法Ｌ１は、予め設定された第１離間寸法以上に設定されている。第１離間寸法は、ＦＲＰ製のフレーム材３５において、強化繊維材の長手方向に複数のビスを取り付けた際に、ビス留め時に発生するクラック同士が繋がることが無い最小限の寸法であり、フレーム材３５の材質や肉厚、ビスのサイズ、ビス孔の加工方法等によって変化する。ただし、通常は、部品の取付強度を確保するために必要な本数のビスを等間隔で配置した場合の寸法（第１寸法Ｌ１）に比べて第１離間寸法は十分に小さいため、部品の取付強度によって必要な本数のビスを等間隔で配置すれば第１離間寸法以上で配置できる。このように、第１ビス６５同士や第２ビス６６同士の間隔を第１寸法Ｌ１の間隔で配置すれば、ビス留め時にクラックが生じても、クラック同士が繋がってフレーム材３５が割れてしまうことを防止できる。
さらに、第１ビス６５および第２ビス６６は、フレーム材３５の長手方向の位置が異なるように交互に配置され、いわゆる千鳥配置とされている。具体的には、第２ビス６６のフレーム材３５の長手方向の位置は、第１ビス６５間の中心位置とされている。
第１ビス６５および第２ビス６６の本数は、ガラス開口部補強材６０が複層ガラス５０を保持するために必要な固定強度を確保できる本数とされている。
なお、第１ビス６５および第２ビス６６は、下框３２、縦框３３、３４においては、フレーム材３５のホロー部３７０に配置された補強材３７１にもねじ込まれており、補強材３７１も第１ビス６５、第２ビス６６によってフレーム材３５に取り付けられている。したがって、補強材３７１もガラス開口部補強材６０と同様に、第１ビス６５、第２ビス６６でフレーム材３５に取り付けられる部品である。補強材３７１においては、内周側見込面部３３０に沿って配置された部分が取付面部であり、屋外見付片部３１０に沿って配置された部分が屋外片部であり、屋内見付片部３２０に沿って配置された部分が屋内片部である。
縦框３４の溝部３６０に配置される補強材３６２も、複数本の第１ビス６５および第２ビス６６で外周側見込面部３４０に取り付けられている。したがって、補強材３６２も、第１ビス６５、第２ビス６６でフレーム材３５に取り付けられる部品である。補強材３６２においては、外周側見込面部３４０に沿って配置された部分が取付面部であり、屋外見付片部３１０に沿って配置された部分が屋外片部であり、屋内見付片部３２０に沿って配置された部分が屋内片部である。補強材３６２を外周側見込面部３４０に取り付ける複数の第１ビス６５は、外周側見込面部３４０の第１領域３４０Ａ（図５参照）側に配置され、複数の第２ビス６６は第２領域３４０Ｂ側に配置され、外周側見込面部３４０において千鳥状に配置されている。
【００２７】
図５に示すように、上框３１、下框３２、縦框３３、３４の長手方向の端部は４５度の角度で切断され、その端面同士を突き合わせた状態で、接合部品７０によって接合されている。
接合部品７０は、第１接合部品７１と、固定プレート７２と、第２接合部品７３と、補強プレート７４と、第３接合部品７５とを備えている。
第１接合部品７１は、溝部３６０に配置され、上框３１または下框３２に固定される横固定片部７１１と、縦框３３または縦框３４に固定される縦固定片部７１２と、横固定片部７１１および縦固定片部７１２を連結する連結片部７１３と、連結片部７１３から屋外見付片部３１０、屋内見付片部３２０に沿って延長された当接片７１４とを備えている。
固定プレート７２は、第１接合部品７１の横固定片部７１１および縦固定片部７１２にそれぞれ重なる２枚のプレートである。固定プレート７２は、外周側見込面部３４０の溝部３６０に露出する面に当接されている。
【００２８】
第２接合部品７３は、フレーム材３５の４５度に切断された端面からホロー部３７０内に挿入されており、上框３１または下框３２に固定される横固定片部７３１と、縦框３３または縦框３４に固定される縦固定片部７３２と、横固定片部７３１および縦固定片部７３２を連結する連結片部７３３とを備えている。連結片部７３３にはネジ７３４が螺合されている。ネジ７３４は、第１接合部品７１の連結片部７１３に形成された孔から六角レンチなどの治具を挿入して回すことで第３接合部品７５に当接する。
補強プレート７４は、第２接合部品７３の横固定片部７３１および縦固定片部７３２にそれぞれ重なる２枚のプレートである。補強プレート７４は、外周側見込面部３４０を挟んで、固定プレート７２に対向して設けられている。
第３接合部品７５は、フレーム材３５の端面からホロー部３７０内に挿入され、上框３１または下框３２の内周側見込面部３３０に当接される横当接部７５１と、縦框３３または縦框３４の内周側見込面部３３０に当接される縦当接部７５２と、横当接部７５１および縦当接部７５２を連結する連結片部７５３とを備えている。連結片部７５３には、前記ネジ７３４の先端が当接される。
【００２９】
第１接合部品７１、固定プレート７２、第２接合部品７３、補強プレート７４は、締結部材である固定ネジにより、外周側見込面部３４０に固定される。
固定ネジは、外周側見込面部３４０において第１領域３４０Ａ側に配置される第１締結部材である第１固定ネジ７６、７７と、第２領域３４０Ｂ側に配置される第２締結部材である第２固定ネジ７８、７９とを備えている。
第１固定ネジ７６および第２固定ネジ７８は、固定プレート７２および外周側見込面部３４０に挿通されて、補強プレート７４にねじ込まれた短尺のネジである。第１固定ネジ７７および第２固定ネジ７９は、第１接合部品７１、固定プレート７２および外周側見込面部３４０に挿通されて、補強プレート７４にねじ込まれた長尺のネジである。
第１固定ネジ７６、７７間は、第１離間寸法以上である第２寸法Ｌ２に設定されている。第２固定ネジ７８、７９間も第２寸法Ｌ２に設定されている。外周側見込面部３４０において、各ネジ７６、７７、７８、７９が挿通される孔は予めドリル等で孔あけ加工されているが、その際に微少なクラックが生じても、各孔の間隔が第２寸法Ｌ２であるため、クラックが繋がって割れることがない。
また、第１固定ネジ７６、第２固定ネジ７８間および第１固定ネジ７７、第２固定ネジ７９間の隙間は第２寸法Ｌ２よりも短いが、フレーム材における繊維強化材の長手方向に直交する方向であるため、孔あけ時にクラックが発生したり、繋がり難いため、クラックが繋がって割れることを防止できる。
また、ネジ７３４をねじ込むことで、第３接合部品７５を内周側見込面部３３０側に押し付けることができ、４５度に切断した端面同士の密着状態を維持できる。
【００３０】
ガラス開口部補強材６０の内側には、複層ガラス５０に装着されたガスケット（グレージングチャンネル）５５が挿入されている。
複層ガラス５０は、網入りガラス等の防火ガラスで構成された屋外ガラス５１と、ＬＯＷ−Ｅガラス等で構成された屋内ガラス５２とを備える。
【００３１】
このような本実施形態の引違い窓１は、ＦＲＰ製のフレーム材３５で構成された上框３１、下框３２、縦框３３、３４と、ＦＲＰ製のフレーム材で構成された上枠２１、下枠２２、縦枠２３、２４を用いているので、引違い窓１の防火性能が向上する。すなわち、ＦＲＰ製のフレーム材３５は、加熱面側が燃えると、ウレタン樹脂が発泡して膨張し、断熱層を形成する。このため、フレーム材３５の非加熱面側への燃焼を抑えることができ、非加熱面側のダメージを抑えることができる。
また、ガラス開口部補強材６０、接合部品７０、補強材３６２、３７１等の部品を固定する締結部材として、第１領域３３０Ａ、３４０Ａに設けられる第１締結部材（第１ビス６５、第１固定ネジ７６、７７）と、第２領域３３０Ｂ、３４０Ｂに設けられる第２締結部材（第２ビス６６、第２固定ネジ７８、７９）とを設けたので、第１締結部材および第２締結部材の一方は、ダメージが少ない非加熱面側に設けられており、部品の固定状態を維持できる。したがって、火災時にフレーム材３５から部品が脱落することも防止できる。よって、防火ガラスで構成された屋外ガラス５１が障子枠３０から脱落することも防止でき、引違い窓１の耐火性能を向上できる。
【００３２】
フレーム材３５である上框３１、下框３２、縦框３３、３４の溝部３６０には、加熱発泡材８０が貼られているので、火災時にフレーム材３５が加熱された際に、加熱発泡材８０が発泡して溝部３６０を充填するため、火炎やガスなどが溝部３６０を介して屋内に流入することを防止できる。したがって、引違い窓１は、窓枠２および障子枠３０がＦＲＰ製であることと、適切な場所に加熱発泡材８０が貼り付けられていることから防火性能を向上できる。さらに、窓枠２や障子枠３０を構成するＦＲＰ材は、金属材に比べて断熱性能が高く、樹脂材に比べて剛性と耐火性能とが高いため、補強材や加熱発泡材も最小限にできてコストも削減できる。したがって、断熱性能、耐火性能、剛性、コストのバランスに優れた引違い窓１を提供できる。
【００３３】
部品であるガラス開口部補強材６０を固定する締結部材として、第１領域３３０Ａに配置される第１ビス６５と、第２領域３３０Ｂに配置される第２ビス６６とを、千鳥状に配列したので、締結部材をフレーム材３５の長手方向に一列に配置する場合に比べ、フレーム材３５の長手方向に並ぶ第１ビス６５間の間隔や、第２ビス６６間の間隔を長くすることできる。すなわち、ガラス開口部補強材６０の固定強度を確保するために、８本の締結部材で固定する必要がある場合、前記実施形態では、４本の第１ビス６５と、４本の第２ビス６６とを設けることになる。このため、８本の締結部材を一列に配置した場合に比べて、第１ビス６５間の間隔や第２ビス６６の間隔は２倍に設定できる。したがって、第１ビス６５、第２ビス６６のねじ込み時にフレーム材３５に繊維強化材に沿ったクラックが生じても、そのクラックが隣のビス部分のクラックに繋がることはなく、フレーム材３５の割れを確実に防止できる。
また、各ビス６５、６６を千鳥配置にしたので、フレーム材３５の見込み方向に沿ってビスが並ぶことがない。このため、ビス６５、６６のねじ込み時に見込み方向に沿ったクラックが発生しても、他のビスによって発生するクラックと繋がることを防止できる。
【００３４】
さらに、第１ビス６５および第２ビス６６は、それぞれ屋外片部６２および屋内片部６３に近接して設けたので、第１ビス６５は屋内見付片部３２０から離して配置でき、第２ビス６６は屋外見付片部３１０から離して配置できる。このため、非加熱面側の第１ビス６５または第２ビス６６を加熱面から可能な範囲で離すことができ、フレーム材３５に対する締結状態を維持できる。
【００３５】
なお、本発明は以上の実施形態で説明した構成のものに限定されず、本発明の目的を達成できる範囲での変形例は、本発明に含まれる。
本発明の部品固定構造は、前記ガラス開口部補強材６０、接合部品７０、補強材３６２、３７１の固定構造に限定されず、窓枠２や障子枠３０を構成するフレーム材３５の見込面部に各種部品を取り付ける場合に利用できる。
また、本発明の建具は、引違い窓１に限定されず、片引き窓、縦すべり出し窓、横すべり出し窓、内倒し窓、外倒し窓、上げ下げ窓、内開き窓、外開き窓、ＦＩＸ窓等の各種サッシ窓として用いることができる。したがって、フレーム材の見込面部に取り付けられる部品も、建具の種類に応じたものを選択すればよい。
さらに、第１締結部材および第２締結部材は、前記第１ビス６５、第２ビス６６のように千鳥配置（フレーム材３５の長手方向の位置が交互となるように配置）に限定されず、第１ビス６５および第２ビス６６を、それぞれフレーム材３５の長手方向の位置が一致するように、つまり第１締結部材および第２締結部材が見込み方向に並ぶように配置してもよい。
【００３６】
また、前記実施形態では、第１ビス６５同士の間隔と、第２ビス６６同士の間隔を同じ第１寸法Ｌ１に設定していたが、異なる寸法に設定してもよい。例えば、屋外側の第１ビス６５の間隔に比べて、第２ビス６６の間隔を短くしてもよい。この場合、第１ビス６５よりも第２ビス６６の本数が多くなるため、特に屋外側で火災が発生する場合に、ガラス開口部補強材６０の固定強度の低下を抑制できる。
さらに、第１ビス６５、第１固定ネジ７６、７７は、第１領域３３０Ａ、３４０Ａに配置されていればよく、仮想線Ｃに近い位置に設けてもよい。同様に、第２ビス６６、第２固定ネジ７８、７９も、第２領域３３０Ｂ、３４０Ｂに配置されていれば良い。なお、図５に示す接合部品７０の締結部材のように、第１固定ネジ７６、７７と、第２固定ネジ７８、７９とが見込み方向に並んでいる場合は、見込み方向に発生するクラックが繋がらない最小限の寸法は離して配置すれば良い。
【００３７】
さらに、前記各実施形態では、第１締結部材および第２締結部材で部品をフレーム材に取り付けていたが、例えば、仮想線Ｃ上に第３締結部材を設けてもよい。また、フレーム材の見込面部において、第１領域を屋外側第１領域と屋内側第１領域とに分け、第２領域を屋外側第２領域と屋内側第２領域とに分け、第１締結部材として、屋外側第１領域に設けられる屋外側第１締結部材と、屋内側第１領域に設けられる屋内側第１締結部材とを用意し、第２締結部材として、屋外側第２領域に設けられる屋外側第２締結部材と屋内側第２領域に設けられる屋内側第２締結部材とを用意してもよい。これらのように、フレーム材の見込面部において、見込み方向に３箇所あるいは４箇所、さらには５箇所以上に締結部材を配置してもよく、特にフレーム材の見込面部の見込寸法が大きく、部品の見込寸法が大きい場合に適している。なお、見込面部の見込み方向の異なる位置に３個以上の締結部材を設ける場合も、フレーム材の長手方向の位置が異なるように３列以上の千鳥配置とすることが好ましい。
また、締結部材としては、ビスやネジに限定されず、リベット等でもよく、ＦＲＰ製のフレーム材と部品とを締結できるものであればよい。
【符号の説明】
【００３８】
１…建具である引違い窓、２…窓枠、３Ａ…外障子、３Ｂ…内障子、２１…上枠、２２…下枠、２３…縦枠、２４…縦枠、３０…障子枠、３１…上框、３２…下框、３３…縦框、３４…縦框、３５…フレーム材、５０…複層ガラス、５５…ガスケット、６０…部品であるガラス開口部補強材、６１…取付面部、６２…屋外片部、６３…屋内片部、６５…第１締結部材である第１ビス、６６…第２締結部材である第２ビス、７０…部品である接合部品、７１…第１接合部品、７２…固定プレート、７３…第２接合部品、７４…補強プレート、７５…第３接合部品、７６、７７…第１締結部材である第１固定ネジ、７８、７９…第２締結部材である第２固定ネジ、８０…加熱発泡材、２１０…本体部、２２０…屋外突出部、２３０…屋内突出部、２４０…レール部材、３１０…屋外見付片部、３２０…屋内見付片部、３３０…内周側見込面部、３３０Ａ…第１領域、３３０Ｂ…第２領域、３４０…外周側見込面部、３４０Ａ…第１領域、３４０Ｂ…第２領域、３５０、３６０…溝部。３６２、３７１…部品である補強材。
【図１】
2019002253.tif 000003
【図２】
2019002253.tif 000004
【図３】
2019002253.tif 000005
【図４】
2019002253.tif 000006
【図５】
2019002253.tif 000007